(57)【特許請求の範囲】
【請求項１】
内部に流路を形成する筒状の本体ケーシングと、前記流路を開閉するため前記本体ケーシング内にシャフトを介して回動可能に配置された複数の羽根と、前記シャフトの両端部を軸支するため前記本体ケーシング内周に設けられたパットチャンネルと、を備え、前記パットチャンネルの少なくとも一部に、前記シャフトの端部に臨む開口部を設けたことを特徴とする防火用ダンパ装置。
【請求項２】
前記シャフトと直交する仮想平面における前記パットチャンネルの断面形状を略Ｗ字状とし、略Ｗ字状の両端に位置する前記パットチャンネルの一方の側縁部のみを前記本体ケーシング内周に固定し、前記パットチャンネルの他方の側縁部を前記羽根が閉止されたときのストッパとしたことを特徴とする請求項１記載の防火用ダンパ装置。
【請求項３】
前記羽根の連結部材を前記シャフトの端部付近に設け、前記本体ケーシング内周と前記パットチャンネル下流側との間に、前記連結部材を前記本体ケーシング内周近傍に配置するための待避領域を設けたことを特徴とする請求項１または２記載の防火用ダンパ装置。
【発明の詳細な説明】
【技術分野】
【０００１】
本発明は、火災が発生したときに空調用ダクトを閉止するために配置される防火用ダンパ装置に関する。
【背景技術】
【０００２】
従来の防火用ダンパ装置は、一般に、流路を開閉する羽根がシャフトを介して本体ケーシング内に回動可能に支持された構造である（例えば、特許文献１参照。）。このような防火用ダンパの場合、シャフト両端部にはブッシュを備えたパットチャンネルが設けられ、シャフトに固定された羽根が回動可能に支持されている。そして、パットチャンネルはトグル等によって本体ケーシング内側に固定されている。
【０００３】
【特許文献１】実開昭６２−１５２１５０号公報
【発明の開示】
【発明が解決しようとする課題】
【０００４】
従来の防火用ダンパ装置において、羽根のシャフトと直交する仮想平面におけるパットチャンネルの断面形状はハット状であるため、本体ケーシング内周への固定面がシャフトの端部を挟んで２列平行に並んでおり、この面にトグルを打っていた。しかしながら、固定面が２列あってトグルの打刻回数が多いため、組み立てに労力と時間を要している。
【０００５】
また、シャフトの端部がパットチャンネル内に完全に隠れているため、空調ダクト内部を流動する流体内のゴミなどが付着したときのメンテナンスが困難であり、付着したゴミなどが固着して動作不良が生じることがある。さらに、羽根の連結部材が本体ケーシング内に露出した状態で設置されると、ゴミなどが付着して、固着や動作不良の原因となる。
【０００６】
本発明が解決しようとする課題は、メンテナンス性に優れ、ゴミなどの付着に起因する可動部の固着や開閉動作不良を回避することのできる防火用ダンパ装置を提供することにある。
【課題を解決するための手段】
【０００７】
本発明の防火用ダンパ装置は、内部に流路を形成する筒状の本体ケーシングと、前記流路を開閉するため前記本体ケーシング内にシャフトを介して回動可能に配置された複数の羽根と、前記シャフトの両端部を軸支するため前記本体ケーシング内周に設けられたパットチャンネルと、を備え、前記パットチャンネルの少なくとも一部に、前記シャフトの端部に臨む開口部を設けたことを特徴とする。
【０００８】
このような構成とすれば、パットチャンネルの少なくとも一部に形成された開口部からシャフトの端部を容易に目視確認することが可能となるため、メンテナンス性が向上し、ゴミなどの付着に起因する可動部の固着や開閉動作不良を回避することができる。なお、前記開口部は本体ケーシング内を通過する流体に対し風下側に設けることが望ましい。
【０００９】
ここで、前記シャフトと直交する仮想平面における前記パットチャンネルの断面形状を略Ｗ字状とし、略Ｗ字状の両端に位置する前記パットチャンネルの一方の側縁部のみを前記本体ケーシング内周に固定し、前記パットチャンネルの他方の側縁部を前記羽根が閉止されたときのストッパとすることが望ましい。
【００１０】
このような構成とすれば、パットチャンネルの一方の側縁部に沿って、シャフトの端部に臨む開口部が形成されるとともに、羽根のストッパを別途設ける必要がなくなるため、部品点数が低減し、構造を簡素化することができる。また、パットチャンネルの一方の側縁部のみを本体ケーシング内周に固定すればよいので、取付工程が半減し、組み立てが容易となる。さらに、羽根の端部と本体ケーシングとの隙間を減らすことができるため、羽根が全閉されたときの気密性が向上し、防火ダンパ装置としての機能も向上する。
【００１１】
一方、前記羽根の連結部材を前記シャフトの端部付近に設け、前記本体ケーシング内周と前記パットチャンネル下流側との間に前記連結部材を前記本体ケーシング内周近傍に配置するための待避領域を設けることもできる。このような構成とすれば、流体が通過する流路の中央部分から離れた、本体ケーシング内周近傍の待避領域に羽根の連結部材が位置することにより、当該連結部材はパットチャンネルの下流側に隠れて保護された状態となるため、流路を移動する流体の雰囲気に起因する可動部の固着や開閉動作不良を防止することができ、防火用ダンパとしての信頼性がさらに向上する。
【発明の効果】
【００１２】
本発明により、メンテナンス性に優れ、ゴミなどの付着に起因する可動部の固着や開閉動作不良を回避することのできる防火用ダンパ装置を提供することができる。
【発明を実施するための最良の形態】
【００１３】
以下、図面に基づいて、本発明の実施の形態について説明する。図１は本発明の実施の形態である防火用ダンパ装置を示す正面図、図２は図１に示す防火用ダンパ装置の側面図、図３は図１に示す防火用ダンパ装置の背面図、図４は図１に示す防火用ダンパ装置の平面図、図５は図１のＡ−Ａ線における断面図、図６は図１のＢ−Ｂ線における断面図である。また、図７はパットチャンネルを示す斜視図、図８（ａ）は図７における矢線Ｃ方向から見た図であり、図８（ｂ）は同図（ａ）のＤ−Ｄ線における断面図である。
【００１４】
図１〜図６に示すように、本実施形態の防火用ダンパ装置１０は、内部に流路１１を形成する四角筒状の本体ケーシング１２と、流路１１を開閉するため本体ケーシング１２内にシャフト１３を介して回動可能に配置された複数の羽根１４と、シャフト１３の両端部１３ａを軸支するため本体ケーシング１２の内周面１２ａに設けられたパットチャンネル１５と、を備えている。また、図７，図８に示すように、シャフト１３と直交する仮想平面（図示せず）におけるパットチャンネル１５の断面形状を略Ｗ字状とし、略Ｗ字状の両端に位置するパットチャンネル１５の一方の側縁部１５ａのみが本体ケーシング１２の内周面１２ａに固定されている。
【００１５】
図７，図８に示すように、パットチャンネル１５は、金属板を曲げ加工することによって形成され、本体ケーシング１２の内周面１２ａと平行に配置される保持部１５ｂに、シャフト１３の端部１３ａが貫通可能な複数のシャフト孔１５ｅが開設され、シャフト１３を回転可能に軸支するためのブッシュ１５ｄがそれぞれのシャフト孔１５ｅに装着されている。また、パットチャンネル１５の保持部１５ｂからシャフト１３と平行方向に起立した他方の側縁部１５ｃは、羽根１４が閉止されたときのストッパとなっている。
【００１６】
断面形状が略Ｗ字状のパットチャンネル１５は剛性が高いので、これを本体ケーシング１２の内周面１２ａに取り付けることにより、本体ケーシング１２を補強する役割も果たしている。本実施形態のパットチャンネル１５は本体ケーシング１２や羽根１４と同材質の鉄板で形成されているが、これに限定せず、ステンレス鋼板などその他の金属板を用いて形成することもできる。
【００１７】
また、複数の羽根１４を連動させるための連結部材１７がシャフト１３の一方の端部付近に設けられ、本体ケーシング１２の内周面１２ａとパットチャンネル１５の下流側との間に、連結部材１７を本体ケーシング１２の内周面１２ａ近傍に配置するための待避領域１８が設けられている。平常時、羽根１４は付勢手段１６により閉止する方向に付勢された状態で、流路１１に配置された温度ヒューズ１９により開放状態に保たれている。
【００１８】
ここで、図６及び図９〜図１１に基づいて、防火用ダンパ装置１０の閉止動作について説明する。図９は羽根が閉止する途中の状態を示す垂直断面図、図１０は羽根が閉止した状態を示す垂直断面図、図１１は羽根が閉止した状態を示す水平断面図である。
【００１９】
図６に示すように、防火用ダンパ装置１０は、平常時、複数の羽根１４が流路１１と平行をなすように保持されている。火災発生により高温の流体が流路１１内に流入すると温度ヒューズ１９が溶融して、羽根１４の拘束が解除されるため、図９に示すように、羽根１４は付勢手段１６の付勢力により、シャフト１３を中心に自動的に回動した後、図１０及び図１１に示すように、流路１１を閉止する。これにより、羽根１４より上流側の高温流体が防火用ダンパ装置１０の下流側に流れるのを阻止することができるため、優れた防火機能を発揮する。
【００２０】
防火用ダンパ装置１０においては、パットチャンネル１５の側縁部１５ａのみを本体ケーシング１２の内周面１２ａに固定したことにより、保持部１５ｂに沿って羽根１４よりも下流側に向かって開放された開口部１５ｆが形成されている。開口部１５ｆはシャフト１３の端部が臨む状態に形成されている。従って、パットチャンネル１５内に位置するシャフト１３の両端部１３ａは開口部１５ｆから容易に目視確認することができ、メンテナンス性に優れている。このため、シャフトまわりへのゴミなどの付着に起因する可動部の固着や開閉動作不良を回避することができる。また、パットチャンネル１５の一方の側縁部１５ａのみを本体ケーシング１２の内周面１２ａへ固定すればよいので、従来に比べ、パットチャンネル１５の取付工程が半減し、組み立ても容易となる。
【００２１】
また、パットチャンネル１５の他方の側縁部１５ｃは、羽根１４が閉止されたときのストッパとして機能するため、本体ケーシング１２の内部に羽根１４のストッパを別途設ける必要がなくなる。このため、従来よりも部品点数が低減し、構造を簡素化することができる。また、羽根１４の端部と本体ケーシング１２との隙間を減らすことができるため、羽根１４が全閉されたときの気密性が向上し、防火ダンパとしての機能も向上する。
【００２２】
さらに、羽根１４の連結部材１７をシャフト１３の端部１３ａ付近に設け、本体ケーシング１２の内周面１２ａとパットチャンネル１５の下流側との間に、連結部材１７を本体ケーシング１２の内周面１２ａ近傍に配置するための待避領域１８を設けている。このように、流体が通過する流路１１の中央部分から離れた、本体ケーシング１２の内周面１２ａ近傍の待避領域に羽根１４の連結部材１７が位置することにより、連結部材１７はパットチャンネル１５の下流側に隠れて保護された状態となる。このため、流路１１内を移動する流体の雰囲気に起因する可動部の固着や羽根１４の開閉動作不良を回避することができ、防火用ダンパとしての信頼性がさらに向上する。
【産業上の利用可能性】
【００２３】
本発明の防火用ダンパ装置は、各種建造物に配備される空調用ダクトに取り付けて広く利用することができる。
【図面の簡単な説明】
【００２４】
【図１】本発明の実施の形態である防火用ダンパ装置を示す正面図である。
【図２】図１に示す防火用ダンパ装置の側面図である。
【図３】図１に示す防火用ダンパ装置の背面図である。
【図４】図１に示す防火用ダンパ装置の平面図である。
【図５】図１のＡ−Ａ線における断面図である。
【図６】図１のＢ−Ｂ線における断面図である。
【図７】パットチャンネルを示す斜視図である。
【図８】（ａ）は図７における矢線Ｃ方向から見た図であり、（ｂ）は図７における矢線Ｄ方向から見た図である。
【図９】羽根が閉止する途中の状態を示す垂直断面図である。
【図１０】羽根が閉止した状態を示す垂直断面図である。
【図１１】羽根が閉止した状態を示す水平断面図である。
【符号の説明】
【００２５】
１０  防火用ダンパ装置
１１  流路
１２  本体ケーシング
１２ａ  内周面
１３  シャフト
１３ａ  端部
１４  羽根
１５  パットチャンネル
１５ａ，１５ｃ  側縁部
１５ｂ  保持部
１５ｄ  ブッシュ
１５ｅ  シャフト孔
１６  付勢手段
１７  連結部材
１８  待避領域
１９  温度ヒューズ
【図１】
0004964158.tif 000002
【図２】
0004964158.tif 000003
【図３】
0004964158.tif 000004
【図４】
0004964158.tif 000005
【図５】
0004964158.tif 000006
【図６】
0004964158.tif 000007
【図７】
0004964158.tif 000008
【図８】
0004964158.tif 000009
【図９】
0004964158.tif 000010
【図１０】
0004964158.tif 000011
【図１１】
0004964158.tif 000012